(57)【要約】　　　（修正有）【課題】中間処理場や回収車上で、廃ＰＥＴボトルの穴開けと減容の作業を自動的に、安全確実に、安価、簡便かつ大量にできるＰＥＴボトル穴開け・減容機を提供する。【解決手段】ロールセット１を構成するロールの外縁に、軸心から放射状かつ軸回り等角度に複数個のアームバー２を取着し、各ロールのアームバー２に複数個の山形歯３１を突設して凸部を、かつ隣接アームバー２相互間に軸心に平行な溝状凹部を夫々形成し、アームバー２上の山形歯３１数に１個差がある他は同形状の対をなす一連のロールを形成し、各ロールを回転外縁が互いに最適深さだけ交差するように距離調節可能に筺体に軸着し、そして該交差において、夫々の山形歯３１の先端が、相手側ロールの溝状凹部の中心線上であって相手側直近山形歯３１の中央位置に、連続して一致するように構成してなる。【選択図】図１
2004136309.tif 000002
【特許請求の範囲】
【請求項１】
廃ＰＥＴボトル投入ホッパー、凸凹部を有する一連の対をなすロールセットであって夫々の凸凹部を相互に嵌合しながら逆回転するロールセット、該ロールセットを軸着する筐体、該ロールセットを駆動する駆動伝達装置、および該駆動伝達装置を制御する制御装置により構成されるＰＥＴボトル穴開け・減容機において、
前記ロールセットが、これを構成する各ロールの外縁に、軸心から放射状かつ軸回り等角度に複数個の横桟（以下、アームバーという）を取着し、該アームバーに複数個の穴開け用突起を突設して凸部を形成し、かつ隣接する該アームバー間に軸心に平行する溝状の凹部を形成し、該ロールを、回転外縁が互いに所定深さの交差がなされるように前記筐体に距離調節可能に軸着し、そして該交差において、夫々の凸部の穴開け用突起の先端が、相手側ロールの溝状凹部の中心線上であって相手側直近突起の中央位置に、連続して一致するように構成したことを特徴とするＰＥＴボトル穴開け・減容機。
【請求項２】
前記アームバーが、該アームバーの両端を、回転軸を備える直円筒体の両底面フランジ部に固着し、そして前記アームバーに内側に複数個のリング嵌合のための窪みを等間隔に開設してなる請求項１記載のＰＥＴボトル穴開け・減容機。
【請求項３】
前記アームバーが、前記ロールセットが逆回転するときに、一方のロールのアームバーが凸部となり、該凸部が他方のロールのアームバー間に形成される溝に嵌合して逆回転しながら、アームバー上の前記突起がＰＥＴボトルに穴を開けて圧延減容し、そしてＰＥＴボトルに開設される穴の配置密度が必要十分な値となるように形成されてなる請求項１または２記載のＰＥＴボトル穴開け・減容機。
【請求項４】
前記穴開け用突起が、対をなす一方ロールのアームバー上の突起を、他方ロールのアームバー上の突起の中央位置に対向するように形成されてなる請求項１、２、３記載のＰＥＴボトル穴開け・減容機。
【請求項５】
前記穴開け用突起が、耐摩耗鋼板をレーザービームにより切断加工し、アームバー長手方向片側等間隔に複数個の山形歯を備えるように形成されてなる請求項１、２、３または４記載のＰＥＴボトル穴開け・減容機。
【請求項６】
前記山形歯を備えるアームバーが、前記ロールのコアをなす直円筒体の両端に付設される止め板に螺着され、そして該直円筒体側面上等間隔に周設される複数個の固定リングに嵌合するように形成されてなる請求項１、３、４または５記載のＰＥＴボトル穴開け・減容機。
【請求項７】
前記止め板が、前記円筒体の両端つばの外周等分点に、軸心から放射状に、つばと同幅で、アームバーの両端の底から山形歯側の角取部までの高さの面積を有する鋼製板材を溶着してなる請求項１、３、４、５または６記載のＰＥＴボトル穴開け・減容機。
【請求項８】
前記山形歯を備えるアームバーが、前記円筒体側に前記固定リングの断面形状と同形の窪みを備えてなる請求項１、３、４、５、６または７記載のＰＥＴボトル穴開け・減容機。
【請求項９】
前記ロールの回転最外縁が交差する所定深さが、必要十分な値に調整されてなる請求項１、２、３、４または５記載のＰＥＴボトル穴開け・減容機。
【請求項１０】
前記穴開け用突起が、前記アームバーに穴開け針を螺着してなる請求項１、２、３または４記載のＰＥＴボトル穴開け・減容機。
【請求項１１】
前記穴開け針が、その所要数をバー上に予め螺着した組部品の針バーを準備し、該組部品ごと前記アームバーに螺着して針の交換を行う請求項１、２、３、４、または７記載のＰＥＴボトル穴開け・減容機。
【請求項１２】
前記ＰＥＴボトル穴開け・減容機が、中間処理施設において地上据付用に、および回収車に着脱自在に取着して車載用に使用される請求項１記載のＰＥＴボトル穴開け・減容機。
【発明の詳細な説明】
【０００１】
【産業上の利用分野】
この発明は、分別収集された使用済ＰＥＴボトルの穴開け・減容作業を、地上に据付けてまたはゴミ収集車に取付けて行うことができる装置に関する。
【０００２】
【従来の技術】
ＰＥＴボトル（ポリエチレンテレフタレート、略称ＰＥＴ製の容器）は、清涼飲料水等の容器として便利なため、その需要は１９９０年代に入り増加の一途を辿り、その使用量は莫大な数量に達し、この傾向は今後益々強くなることが予想される。これに伴い、分別収集される使用済ＰＥＴボトルの処理およびその関連作業が重要視されている。
【０００３】
今迄、分別収集された使用済ＰＥＴボトルは、一部が廃棄物として廃棄され、また高性能発電施設を備えた焼却炉で燃焼させて熱エネルギー化する道を選ぶ自治体もあり、残り４０．１％がリサイクル過程に回され再使用されている。廃棄物として埋立てに使用するのは、将来環境問題発生の危険がある。また、燃焼させれば大気中の一酸化炭素が増え、地球温暖化の一因となる。できればこれらを避け、その量を減らし、その資源的価値を生かすことが最善の対策となる。特に、最近、回収したＰＥＴボトルを化学的に分解、分子に戻して精製することにより、石油から作るのと同様の品質と透明度が確保され、新品と同価格で提供する途が開かれたので、今後益々膨大化する使用済ＰＥＴボトルの量を考えると、尚更、その資源的価値を生かすことが重要である。
【０００４】
ＰＥＴボトルは、嵩がはるので、廃棄するにせよリサイクル過程に回すにせよ、そのままでは取り扱いが厄介で、移送コストが高くなる。そのため、本発明者は、先に、効率よくＰＥＴボトルの穴開け・減容ができる技術の提案を行った（特願２００１−０１５８２７）。この発明に係る装置は非常に効率よく稼動し、現に所期の目的を達成しているが、逐年増大する使用済ＰＥＴボトルの排出に今後適切に対応するため、性能を維持しながら、構成簡素、保守がし易く、安価でかつ取扱い易い、収集車用および中間処理場用の普及型装置の提案は社会の需要に合致し、緊急に必要であると判断された。
【０００５】
【発明の解決すべき課題】
そこで、使用済ＰＥＴボトルの穴開けと減容の作業を、自動的に、安全確実に、円滑迅速に、能率良く、大量にそして安価に行うことができる構造単純、操作性良好で使い勝手がよく、保守容易、低価格、かつ耐久性ある装置で、収集車に脱着自在に載架でき、そして中間処理場で地上据付けての使用が可能な、普及型のＰＥＴボトル穴開け・減容機を提供するのが本発明の目的である。
【０００６】
【課題を解決するための手段】
上記目的を達成するため、請求項１の発明に係る装置は、ＰＥＴボトル投入ホッパー、一連の対をなすロールセットであって夫々の凹凸部を相互に嵌合しながら逆開転するロールセット、該ロールセットを軸着する筐体、該ロールセットを駆動する駆動伝達装置、および該駆動伝達装置を制御する制御装置からなるＰＥＴボトル穴開け・減容機において、前記ロールセットが、構成各ロールの外縁に、軸心から放射状かつ軸回り等角度に複数個のアームバーを取着し、該アームバーの外側に複数個の穴開け用突起を突設して凸部を形成し、かつ隣接する該アームバーにより軸心に平行な溝状の凹部を形成し、該各ロールは、回転外縁が互いに所定深さを交差するように前記筐体に調節可能、並列かつ水平に所定距離を置いて軸着してなり、そして該ロールは前記凸部と凹部を嵌合しながら内側に逆回転し、該逆回転中、夫々のロールに突設された穴開け用突起の先端が、相手側ロール上対向位置にある溝状凹部の中心線上であって相手側突起の中央位置に、連続して一致するように構成したＰＥＴボトル穴開け・減容機である。
【０００７】
上記目的を達成するため、請求項２に係わる発明は、前記アームバーが、その両端を、両底面中央に回転軸を固着した直円筒体の両底面フランジ部に固着し、そして前記アームバーに内側に複数個のリング嵌合のための窪みを等間隔に開設してなるＰＥＴボトル穴開け・減容機である。
【０００８】
上記目的を達成するため、請求項３に係わる発明は、前記アームバーが、前記ロールが逆回転するときに、一方のロールのアームバーが凸部となり、該凸部が他方のロールのアームバー間に形成される溝状凹部に嵌合して逆回転しながら、アームバー上の突起がＰＥＴボトルに穴を開けて圧延減容し、そしてＰＥＴボトルに開設される穴の配置密度が必要十分な値となるように構成されたＰＥＴボトル穴開け・減容機である。
【０００９】
上記目的を達成するため、請求項４に係わる発明は、前記穴開け用突起が、前記ロールのうち、一方ロールの前記アームバー上の突起を、他方ロールの前記アームバー上の突起の中央位置に対向するように構成、すなわち突起数に１個差があるロール同士をセットとして構成されたＰＥＴボトル穴開け・減容機である。
【００１０】
上記目的を達成するため、請求項５に係わる発明は、前記穴開け用突起が、耐摩耗鋼板をレーザービームにより切断加工して山形歯を備えるアームバーに形成し、該山形歯が穴開け機能を有するように形成してなるＰＥＴボトル穴開け・減容機である。
【００１１】
上記目的を達成するため、請求項６に係わる発明は、前記山形歯を備えるアームバーが、前記ロールのコアをなす直円筒体の両端つばに付設される止め板に螺着され、そして該直円筒体側面上に等間隔に周設される複数個の固定リングに嵌合するように形成されてなるＰＥＴボトル穴開け・減容機である。
【００１２】
上記目的を達成するため、請求項７に係わる発明は、前記止め板が、前記直円筒体の両端つばの外周等分点に、軸心から放射状に、つばと同幅で、アームバーの両端の底から山形歯側の角取部までの高さの面積を有する鋼製板材であって、その中央に螺着孔を備えるものを溶着してなるＰＥＴボトル穴開け・減容機である。
【００１３】
上記目的を達成するため、請求項８に係わる発明は、前記山形歯を備えるアームバーが、その前記直円筒体側に前記固定リングの断面形状と同形の窪みを備えるＰＥＴボトル穴開け・減容機である。
【００１４】
上記目的を達成するため、請求項９に係わる発明は、前記ロールの回転最外縁が交差する所定深さが、必要十分な値をとるように調節可能に形成してなるＰＥＴボトル穴開け・減容機である。
【００１５】
上記目的を達成するため、請求項１０に係わる発明は、前記穴開け用突起が、前記アームバーに穴開け針を螺着してなるＰＥＴボトル穴開け・減容機である。
【００１６】
上記目的を達成するため、請求項１１に係わる発明は、前記穴開け針が、その所要数をバー上に予め螺着した組部品を準備し、該組部品ごと前記アームバーに螺着して針の交換を行うＰＥＴボトル穴開け・減容機である。
【００１７】
上記目的を達成するため、請求項１２に係わる発明は、前記ＰＥＴボトル穴開け・減容機は、中間処理施設において地上据付用に、および回収車に着脱自在に取着して車載用に夫々使用されるものである。
【００１８】
【発明の実施の態様】
次に、この発明の実施の態様について図面を参照して説明する。図１は地上据付の筐体（４）に軸着され、かつ山形歯を備えるロールセット（１）を示す正面図、そして図２はその左側面図である。正確には、図１は、ロールセット（１）の軸心を通る平面で切断した断面を示す。作図の都合で斜線を省略した。ロールセット（１）は、直円筒体（１２）の両底面（１３）に、回転軸（１１）のフランジ（１５）を螺着してそのコアを形成し、直円筒体（１２）の両端厚み部にアームバー（２）の両端を螺着して形成した。直円筒体（１２）の側面に、断面方形のリング（１９）を等間隔に溶接により周着し、これに対応するアームバー（２）に窪み（２１）を形成し、この窪み（２１）とリング（１９）を嵌合させ、回転中のアームバー（２）の形状安定性を図った。図１および図２の実施例は、地上据付を目的として構成し、穴開け用突起（３）として山形歯（３１）を用いた。山形歯（３１）は、耐磨耗鋼板をレーザービームで切断し、アームバーの一部として一体成形し、低価格化を図った。車載用としても装置の汎用化と使い勝手をよくするためには、構造簡単にして、整備の手間の省力化と共に、できるだけ小型が望ましい。そこで、最小化できる限界のロールセット（１）の直径と長さを数次の試作で確かめ、穴開け用突起（３）を８個と７個、および６個と５個、アームバー（２）が夫々１０本のロールセット（１）を採用した。これらの個数は、ロールセット（１）の規模拡大に伴って増加する。
【００１９】
図１に、２個のアームバーが上下の二方向に固着されている状況を示す。しかし、上述の通り、軸周り１０個のアームバーが固着されている。アームバーの板厚を差し引いた凹状溝の隙間が、４０ｍｍないし７０ｍｍになるように、かつ分割し易い等分角度に付設した。図２に見るように、一方ロールのアームバー（２）の先端の山形歯（３１）は、他方ロールのアームバー（２）の中央位置に対向一致し、両ロールの中央位置および突起（３）が、一直線上にあるように、両ロールを１８度ずらして筺体（４）に軸着した。ロールセット（１）は駆動部（６）により駆動され、伝達装置（７）により内側（図１、図２の下方）、すなわちホッパー（４）の反対側に向かって同期的に相互に逆回転する。
【００２０】
図３は、ロールセット（１）の逆回転の状況を示す概念図である。図３のロールセット（１）は、一方ロールのアームバー（２）の山形歯数を８個、他方ロールのそれは１個少なく７個とし、例えば紙片を挟んで一回転させると突起が紙上に印す配置展開図が得られる。一方ロールの接触点を小さい丸、他方のそれをバツで示した。夫々均等に配置され、これらの接触点において、山形歯（３１）がＰＥＴボトルに穴を開ける。
【００２１】
図４は、地上据付の筐体（４）に軸着され、かつ穴開け用突起として穴開け針（３２）を備えるロールセット（１）を示す正面図、そして図５はその左側面図である。針の数が少ないのと、（特願２００１−０１５８２７）が採用した交差の深さより大きくなるようにロール間距離を狭くした。穴開け針（３２）として、本発明者が提案した先行技術（特願２００１−０１５８２７）のものを用いた。穴開け針（３２）は炭素鋼（ＳＣＭ鋼、ＳＫＤ鋼）製で、先端針部、中央ナット部およびネジ部からなる。先端針部は、中央ナット部は六角ナットに形成した。先端針部と中央ナット部は真空焼き入れして強度と耐久性を上げた。先端針部の底面と六角ナットとの間に形成される段差は、ＰＥＴボトルの穴開け作業後容易に抜けて、運転に支障をきたすことはない。段差付き穴開け針（３２）は本発明でも有効である。ネジ部の外周にはＭ１０ネジが切ってあり、この部位をアームバー（２）の螺着孔に、ばね座金およびゆるみ止め座金を介して螺着し、固定する。ロールセット（１）は、駆動部（６）の動力でチエーン（７１）、ギヤ（１６）、回転軸（１１）、および伝達部（７）を介して駆動される。穴開け針（３２）の数は、一方ロールのアームバー（２）が６本、他方のそれが５本と、山形歯（３１）の場合に比し、少なくても同等以上の作業効率が得られるからである。
【００２２】
図６は、車載用の筐体（４）に軸着され、かつ穴開け用突起として山形歯（３１）を備えるロールセット（１）を示す正面図、そして図７はその右側面図である。車載用の筐体（４）は、地上据付用に比しコンパクトである。稼動時には、回収車の後方開口端部の床面上水平かつ縦並列に軸着される。このとき、ホッパー（５）は斜め上方に突き出た形状となり、その上端開口が廃ＰＥＴボトル（ＰＢ）の投入口となる。廃ＰＥＴボトル（ＰＢ）をこの口に投入し、駆動部（６）のスイッチを入れるとロールセット（１）が回転を始め、自動的に山形突起（３１）が廃ＰＥＴボトル（ＰＢ）を吸い込み、穴開け減容して車内に排出する。
【００２３】
図８は、車載用の筐体（４）に軸着され、かつ穴開け用突起として穴開け針（３２）を備えるロールセット（１）を示す正面図、そして図９はその右側面図である。駆動部（６）の駆動力により下方のロールが駆動されて回転し、伝達部（７）のギヤを介して駆動力が伝達され、上方のロールが逆方向に回転する。図８は、ロールセット（１）の回転中、穴開け針（３２）が互いに交差する状況を示す。
【００２４】
図１０は、山形歯（３１）を備えるロールセット（１）を軸着した筺体（４）を回収車（９）に搭載し、作業時にはこれを車外に引き出して立設使用し、作業終了後これを車内に横設格納する状況を示す説明図である。筺体（４）は、回収車（９）の後部開口縁部に、支持台（８）上の枢軸（８１）を介して、回動自在に搭載される。筺体（４）と支持台（８）は一体的に構成されるので、両者は一体として回動する。したがって、格納時、点線矢印の方向に回動させれば、ホッパー（５）と支持台（８）を含めた装置全体が車内にすっぽり収まる。開口部の蓋を閉めれば、本装置の搭載の有無は、外観では見分けがつかない。稼動を開始する時は、回収車後部の蓋を開け、ホッパー（５）の上縁に手を掛けるなどして枢軸（８１）周りに回動させればよい。ロールセット（１）は、作動時、縦並列にそして水平に軸着された状態になり、ホッパー（５）に投入された廃ＰＥＴボトル（ＰＢ）は、ロールセット（１）の穴開け突起（３）に引っ掛けられて吸い込まれ、ロールセット（１）を通過する間に穴が開けられ、圧延されて減容され、左方にある車内窪みに放出される。放出された減容廃ＰＥＴボトル（ＰＢ）は、押し込み板（９１）の枢軸（９２）周りの回転により上方床面に押し上げられ、押し板（図示せず）により車内前方に圧送される。穴開きＰＥＴボトルは、移送中ボトル内残留圧により再膨張することはない。
【００２５】
図１１おおび図１２は、穴開け針（３２）を予め螺着してなる針バー（２２）を組部品としてアームバー（２）の頭部に載せて、針バー（２２）をアームバー（２）に螺着した状況を示す概念図である。図上、左側に記載した図が正面から、右側に記載した図が側面から見た図である。図１１と図１２では、針バー（２２）のアームバー（２）への螺着の方法が異なる。図１１では、針バー（２２）をアームバー（２）の頭上に載せ、針バー（２２）の両端と中央を、アームバー（２）に法線方向から螺着した。図１１の螺着は、ロールセット（１）の回転時、切線方向の力に対する抗力は、螺着ボルト（２３）のねじ山だけであるが、図１２では止板（２４）を用い螺着している。止板（２４）は針バー（２２）の両端片側に、アームバー（２）の壁面に沿うように密着させた。したがって、止板（２４）を風上に配置、すなわち止板（２４）側方向にロールセット（１）を回転させれば、抗力の一部をアームバー（２）も分担するので、螺着ボルト（２３）にかかる力は弱くなる。図１２では、六角ボルトと六角ナットを用い、止板（２４）とアームバー（２）を両側から挟着している。
【００２６】
図１３および図１４は、組部品の針バー（２２）をアームバー（２）に着設した状況を示す概念図であり、図１３ではＡ−Ａ断面を、そして図１４ではＢ−Ｂ断面を示す。穴開け針（３２）の断面図に明らかなように、穴開け針（３２）は、針バー（２２）の裏面まで挿通して、六角ナットで締着している。したがって、穴開け針（３２）は、引っ張りに対し強い構造となっている。しかし、アームバー（２）の頭部に、これを受け入れる空隙（図示せず）を形成する必要がある。
【００２７】
図１５は、ロールのコアをなす直円筒体（１２）の中央部と両端のつば（１７）に立設した止め板（１８）に、山形歯（３１）付きアームバー（２）を螺着した状況を示す概念図である。図１５（１）は正面と左側面からみた概念図、図１５（２）はＡ−Ａ断面図、そして図１５（３）はアームバー（２）と止め板（１８）の結合状態を示す斜視図である。直円筒体（１２）の両端にあるつば（１７）に、中央に螺着孔ある止め板（１８）を立設する。直円筒体（１２）の軸心を含み、軸心から放射状に、軸周り３６度の等角度間隔で、１０枚の止め板（１８）を立設した。山形歯（３１）付きアームバー（２）両端のボルト孔を、直円筒体（１２）の側面一直線上対称位置にある両端止め板（１８）の螺着孔に合せ、六角ボルト（２０）を挿通して、反対側を六角ナット（２０）で締め、止め板（１８）と山形歯（３１）付きアームバー（２）を両側から挟着する。止め板（１８）とアームバー（２）の挟着は、全て同じ配列とする。配列がばらつくとバランスが崩れ、振動の原因となり、強度も落ちるからである。
【００２８】
以上、主としてロールセット（１）について述べたが、これらを軸支して収納する筐体（４）、該筐体（４）上部に取着されるホッパー（５）、前記ロールセット（１）を駆動する駆動装置（６）、駆動力伝達用ローラーチェーン、歯車機構および軸受等の駆動装置（７）、ならびに該駆動装置の回転速度、作動開始・終了等を制御する制御装置等の、本発明の従属的構成要素については従来技術を利用して構成し、実施した。
【００２９】
【発明の効果】
以上説明したように、請求項１の発明に係るＰＥＴボトル穴開け・減容機によれば、使用済ＰＥＴボトルの穴開けと減容の作業を、自動的に、安全確実に、円滑迅速に、能率良く、大量にそして安価に行うことができる構造単純、操作性良好で使い勝手がよく、保守容易、低価格、かつ耐久性ある装置で、収集車に脱着自在に載架でき、また中間処理施設において地上に据付けて使用が可能な、普及型のＰＥＴボトル穴開け・減容機を提供することができる。
【００３０】
請求項２の発明に係るＰＥＴボトル穴開け・減容機によれば、アームバー（２）がローラーセット（１）の凸部と凹部を形成し、アームバー（２）上の穴開け突起（３）が廃ＰＥＴボトル（ＰＢ）のキャップに衝接しても、相手側ロールに逃げ溝凹部があるので、穴開け突起（３）が破損する確率は低く、リング（１９）はアームバー（２）内側に開設された窪み（２１）に嵌合して、アームバー（２）の形状安定性を確保し、ローラーセット（１）の安全運転に資する。
【００３１】
請求項３の発明に係るＰＥＴボトル穴開け・減容機によれば、現規格ＰＥＴボトルの穴開け・減容に必要十分な性能、すなわち圧延面積平均約１３０平方ｃｍ程度の０．５ＬサイズのＰＥＴボトルを供試体にした試運転によれば、少なくとも６個所の穴を開けることができる。
【００３２】
請求項４の発明に係るＰＥＴボトル穴開け・減容機によれば、ローラーセット（１）の、一方ロールのアームバー（２）上の穴開け突起（３）を、他方ロールのアームバー（２）上の突起の中央位置に対向するように構成、すなわち突起の数を１個減じて構成することにより、穴開け・減容に必要十分な性能、すなわち圧延面積平均約１３０平方ｃｍ程度の０．５ＬサイズのＰＥＴボトルに対しては上述の通り少なくとも６箇所の穴を開けることができる。サイズが大きくなれば、開けられる穴の個数は増え、穴開け機能を十分確保することができる。
【００３３】
請求項５の発明に係るＰＥＴボトル穴開け・減容機によれば、穴開け用の山形歯（３１）は、耐摩耗鋼板のレーザービーム切断加工により能率よく、大量、安価に提供され、ために構造単純、操作性良好で使い勝手がよく、保守容易、低価格、かつ耐久性ある穴開け・減容機を提供できる。
【００３４】
請求項６の発明に係るＰＥＴボトル穴開け・減容機によれば、山形歯が破損した場合、アームバーを止め板から簡単に外し、新品と容易に交換して、性能を確保することができる。アームバーの固定リングとの嵌合は軸方向の伸びを抑え、形状安定性を確保し、円滑な回転に寄与する。
【００３５】
請求項７の発明に係るＰＥＴボトル穴開け・減容機によれば、バランスがとれた構成の止め板が、山形歯付アームバーと直円筒体の結合と分解を容易にし、整備性を向上させ、回転を円滑にする。
【００３６】
請求項８の発明に係るＰＥＴボトル穴開け・減容機によれば、山形歯付アームバーの内側の窪みに、直円筒体に溶着の固定リングが嵌合して軸方向のずれや伸びが抑制され形状安定性が確保できる。
【００３７】
請求項９の発明に係るＰＥＴボトル穴開け・減容機によれば、ローラーセット（１）を構成する各ロールの回転最外縁が交差する深さが最適のとき、ローラーセット（１）は安全確実に、円滑に、故障なく稼動し、したがって能率良く、大量に廃ＰＥＴボトル（ＰＢ）の穴開けと減容の作業を行うことができる。
【００３８】
請求項１０の発明に係るＰＥＴボトル穴開け・減容機によれば、穴開け針（３２）を螺着したアームバー（２）は、山形突起（３１）を一体成形してなるアームバー（２）装着のローラーセット（１）と同等性能を発揮し遜色がない。
【００３９】
請求項１１の発明に係るＰＥＴボトル穴開け・減容機によれば、組部品としてアームバー（２）上の穴開け針（３２）を同時に交換するので労力、時間が少なくて済み、整備性がよく経済的である。
【００４０】
請求項１２の発明に係るＰＥＴボトル穴開け・減容機によれば、中間処理場の機械ラインにおける地上据付用として、および収集車開口部に添装して車載用に用いることができる。車載用には着脱・回動自在に取着し、稼動時はこれを立設して稼動、終了後は車内に横設格納して移動、用済後これを取り外して回収車を他の用途に振り向けることができる。
【図面の簡単な説明】
【図１】ロールセット（１）を筐体（４）に軸着した状況を示す正面図である。
【図２】ロールセット（１）を筐体（４）に軸着した状況を示す側面図である。
【図３】ロールセット（１）の逆回転の状況を示す概念図である。
【図４】地上据付の筐体（４）に軸着された、穴開け針（３２）を備えるロールセット（１）を示す正面図である。
【図５】地上据付の筐体（４）に軸着された、穴開け針（３２）を備えるロールセット（１）を示す左側面図である。
【図６】車載用の筐体（４）に軸着された、山形歯（３１）を備えるロールセット（１）を示す正面図である。
【図７】車載用の筐体（４）に軸着された、山形歯（３１）を備えるロールセット（１）を示す左側面図である。
【図８】車載用の筐体（４）に軸着された、穴開け針（３２）を備えるロールセット（１）を示す正面図である。
【図９】車載用の筐体（４）に軸着された、穴開け針（３２）を備えるロールセット（１）を示す正面図である。
【図１０】山形歯（３１）付きロールセット（１）を軸着された筺体（４）を回収車（９）に搭載し、使用と格納の夫々の状況を示す説明図である。
【図１１】針バー（２２）を組部品としてアームバー（２）の頭部に載せ、アームバー（２）に螺着した状況を示す概念図である。
【図１２】針バー（２２）を組部品としてアームバー（２）の頭部に載せ、アームバー（２）に螺着した状況を示す概念図である。
【図１３】組部品の針バー（２２）をアームバー（２）に着設した状況を示す概念図、およびＡ−Ａ断面である。
【図１４】組部品の針バー（２２）をアームバー（２）に着設した状況を示す概念図、およびＢ−Ｂ断面である。
【図１５】直円筒体（１２）の両端と中央部に立設の止め板（１８）に、山形歯（３１）付きアームバー（２）を螺着した状況を示す概念図である。
【符号の説明】
１　　ロールセット
２　　アームバー
３　　穴開け用突起
４　　筐体
５　　ホッパー
６　　駆動部
７　　　伝達部
８　　支持台
９　　回収車
１１　回転軸
１２　直円筒体
１３　直円筒体（１２）の底面
１４、１５　フランジ
１６　ギヤ
１７　直円筒体（１２）のつば
１８　アームバー止め板
１９　アームバー嵌合リング
２０、２３　六角ボルト・ナット
２１　アームバー（２）の窪み
２２　針バー
２４　アームバー（２）付止板
３１　山形歯
３２　穴開け針
６１　軸受
７１　チエーン
７２　箱型継手
８１、９２　枢着部
９１　押し込み板
１８１　アームバー止め板（１８）の曲面盤
ＰＢ　廃ＰＥＴボトル
【図１】
2004136309.tif 000003
【図２】
2004136309.tif 000004
【図３】
2004136309.tif 000005
【図４】
2004136309.tif 000006
【図５】
2004136309.tif 000007
【図６】
2004136309.tif 000008
【図７】
2004136309.tif 000009
【図８】
2004136309.tif 000010
【図９】
2004136309.tif 000011
【図１０】
2004136309.tif 000012
【図１１】
2004136309.tif 000013
【図１２】
2004136309.tif 000014
【図１３】
2004136309.tif 000015
【図１４】
2004136309.tif 000016
【図１５】
2004136309.tif 000017